【手続補正書】
【提出日】平成17年12月8日(2005.12.8)
【手続補正１】
【補正対象書類名】明細書
【補正対象項目名】特許請求の範囲
【補正方法】変更
【補正の内容】
【特許請求の範囲】
【請求項１】  気体が吸入され得るインレット（１１ａ；４９ａ；８９ａ）を有するフェースマスク（１１；４９；８９）と、
フェースマスク（１１；４９；８９）のインレット（１１ａ；４９ａ；８９ａ）を介して引き入れられる気体の流量速度を測定するセンサ（１９；６７；９９）と、
フェースマスク（１１；４９；８９）が患者に充分に適合すると徴候を表示するインジケータとを含み、
フェースマスク（１１；４９；８９）の適合が、患者の吸入の際に、フェースマスク（１１；４９；８９）のインレット（１１ａ；４９ａ；８９ａ）を介して引き入れられる気体の流量速度をモニタすることにより、判断され、
実質上規則正しい吸入波形が得られればフェースマスク（１１；４９；８９）が患者に適合したと見做される、
フェースマスクを患者の顔面に確実に適合させる装置。
【請求項２】  フェースマスク（１１；４９；８９）のインレット（１１ａ；４９ａ；８９ａ）と流体伝達しうる状態にあるアウトレット（３１；４７；８７）を包含するチャンバ（２７；４１；８１）を、更に含む、請求項１に記載の装置。
【請求項３】  チャンバ（２７；４１；８１）が、気体が注入され得るインレット（２９；４３；８３）を含む、請求項２に記載の装置。
【請求項４】  フェースマスク（１１；４９；８９）のインレット（１１ａ；４９ａ；８９ａ）が、吐出を防ぐ単方向バルブ（２６；６３；９５）を含む、請求項１乃至請求項３のうちのいずれか一つに記載の装置。
【請求項５】  フェースマスク（１１；４９；８９）が、気体が吐出され得るアウトレット（１１ｂ；４９ｂ；８９ｂ）を有する、請求項１乃至請求項４のうちのいずれか一つに記載の装置。
【請求項６】  フェースマスク（１１；４９；８９）のアウトレット（１１ｂ；４９ｂ；８９ｂ）が、吸入を防ぐ単方向バルブ（１７；６５；９７）を含む、請求項５に記載の装置。
【請求項７】  インジケータが、フェースマスク（１１；４９；８９）の患者の顔面への適合に係る情報を表示するディスプレイ（２５；７３；１０３）を含む、請求項１乃至請求項６のうちのいずれか一つに記載の装置。
【請求項８】  ディスプレイ（２５；７３；１０３）が、液晶デジタルディスプレイ又は発光ダイオードディスプレイを含む、請求項７に記載の装置。
【請求項９】  インジケータが、フェースマスク（１１；４９；８９）が患者の顔面に充分に適合すると、音を生成する音生成部を含む、請求項１乃至請求項８のうちのいずれか一つに記載の装置。
【請求項１０】  吸入の前に、一時的に薬を保持するチャンバ（２７；４１；８１）と、
チャンバ（２７；４１；８１）の中に薬を注入するデバイス（１；５７；８５）と、
気体が吸入され得るインレット（１１ａ；４９ａ；８９ａ）を有するフェースマスク（１１；４９；８９）と、
患者の顔面へのフェースマスク（１１；４９；８９）の適合を確実なものにし患者に受け入れられる薬の投与量を計算する適合・計算手段とを
含む、患者に薬を分配して吸入させる装置において、
上記適合・計算手段は、
チャンバ（２７；４１；８１）から引き出される気体の流量速度を測定するセンサ（１９；６７；９９）と、個々の吸入呼吸の間のチャンバ（２７；４１；８１）内の薬の濃度を測定する濃度測定手段とを備え、
その薬の濃度はチャンバ（２７；４１；８１）の内部面上に薬が少なくとも一部分に沈下することにより時間を経るにつれ減少し、
更に、
フェースマスク（１１；４９；８９）の適合が、チャンバ（２７；４１；８１）から引き出される気体の流量速度をモニタすることにより、判断され、
患者に受け入れられる薬の総投与量が、個々の吸入呼吸にて受け入れられる薬の投与量を合計することで計算され、
個々の吸入呼吸にて受け入れられる薬の投与量は、チャンバ（２７；４１；８１）の下流の装置デッドスペースの体積により補正されたその呼吸の体積の中の、チャンバ（２７；４１；８１）から吸入される薬の総量として計算される、
患者に薬を分配して吸入させる装置。
【請求項１１】  フェースマスク（１１；４９；８９）のインレット（１１ａ；４９ａ；８９ａ）が、吐出を防ぐ単方向バルブ（２６；６３；９５）を含む、請求項１０に記載の装置。
【請求項１２】  フェースマスク（１１；４９；８９）が、気体が吐出され得るアウトレット（１１ｂ；４９ｂ；８９ｂ）を包含する、請求項１０又は請求項１１のうちのいずれか一つに記載の装置。
【請求項１３】  フェースマスク（１１；４９；８９）のアウトレット（１１ｂ；４９ｂ；８９ｂ）が、吸入を防ぐ単方向バルブ（１７；６５；９７）を含む、請求項１２に記載の装置。
【請求項１４】  適合・計算手段が、チャンバ（４１；８１）の中への薬の注入を検出するセンサ（６７；６９；９９）を包含する、請求項１０乃至請求項１３のうちのいずれか一つに記載の装置。
【請求項１５】  チャンバ（４１；８１）から引き出される気体の流量速度を測定するセンサ（６７；９９）と、チャンバ（４１；８１）の中への薬の注入を検出するセンサ（６７；９９）とが、同じセンサである、請求項１４に記載の装置。
【請求項１６】  チャンバ（４１）から引き出される気体の流量速度を測定するセンサ（６７）と、チャンバ（４１）の中への薬の注入を検出するセンサ（６９）とが、別々のセンサである、請求項１４に記載の装置。
【請求項１７】  チャンバ（２７；４１；８１）から引き出される気体の流量速度を測定するセンサ（１９；６７；９９）が、デバイス（１；５７；８５）の上流に位置する、請求項１０乃至請求項１６のうちのいずれか一つに記載の装置。
【請求項１８】  吸入波形、
吸入波形のピークの大きさ、
フェースマスク（１１；４９；８９）の患者の顔面への適合、
チャンバ（２７；４１；８１）内の薬の濃度、
チャンバ（２７；４１；８１）内の薬の濃度が所定の閾値を下回れば発せられる警告、及び、
患者に受け入れられる薬の投与量の
情報を表示する、ディスプレイ（２５；７３；１０３）を更に含む、請求項１０乃至請求項１７のうちのいずれか一つに記載の装置。
【請求項１９】  ディスプレイ（２５；７３；１０３）が、液晶デジタルディスプレイ又は発光ダイオードディスプレイを含む、請求項１８に記載の装置。
【請求項２０】  フェースマスク（１１；４９；８９）が患者の顔面に十分に適合し、
チャンバ（２７；４１；８１）内の薬の濃度が所定の閾値を下回り、及び／若しくは、
薬の所与の投与量が患者に受け入れられたら、音を生成する、
音生成部を更に含む、請求項１０乃至請求項１９のうちのいずれか一つに記載の装置。
【請求項２１】  デバイス（１）が噴霧器を含む、請求項１０乃至請求項２０のうちのいずれか一つに記載の装置。
【請求項２２】  噴霧器が、ジェット噴霧器である、請求項２１に記載の装置。
【請求項２３】  噴霧器が、超音波噴霧器である、請求項２１に記載の装置。
【請求項２４】  噴霧器が、圧力メッシュ噴霧器である、請求項２１に記載の装置。
【請求項２５】  デバイス（５７）が、薬の計量投与量を分配する与圧エアロゾルコンテナを含む、請求項１０乃至請求項２０のうちのいずれか一つに記載の装置。
【請求項２６】  デバイス（８５）が、乾燥粉末吸入器を含む、請求項１０乃至請求項２０のうちのいずれか一つに記載の装置。
【請求項２７】  患者の顔面へフェースマスク（１１；４９；８９）を充分に適合することが達成されると、
適合・計算手段が、デバイス（１；５７；８５）を自動的に作動するように設定されている、請求項１０乃至請求項２６のうちのいずれか一つに記載の装置。
【請求項２８】  適合・計算手段が、
チャンバ（２７；４１；８１）内の薬の濃度の経時的な減少を表すデータをルックアップテーブル内に格納するメモリを、
吸入の間のチャンバ（２７；４１；８１）内の薬の濃度を、メモリ内に格納されるデータを基に、測定する濃度測定手段と共に、
備える、請求項１０乃至請求項２７のうちのいずれか一つに記載の装置。
【請求項２９】  気体が吸入によりチャンバ（２７；４１；８１）から引き出され、希釈によりチャンバ（２７；４１；８１）内部の薬の濃度の減少を生じさせる際に、チャンバ（２７；４１；８１）の中に気体を注入させるインレット（２９；４３；８３）を、チャンバ（２７；４１；８１）が備える、請求項１０乃至請求項２８のうちのいずれか一つに記載の装置。
【請求項３０】  濃度測定手段が、患者が先に吸入する気体の体積もまた基礎にして、チャンバ（２７；４１；８１）内の薬の濃度を測定する、請求項２９に記載の装置。
【請求項３１】  適合・計算手段が、
吸入される気体の体積に対し、チャンバ（２７；４１；８１）内の薬の濃度が減少することを表すデータをルックアップテーブル内に格納するメモリを備える、請求項３０に記載の装置。
【請求項３２】  チャンバ（２７；４１；８１）が、
気体が注入される第１のインレット（２９；１０５）と、デバイス（１；８５）と流体伝達し得る状態にある第２のインレット（８３）とを含む、
請求項２９乃至請求項３１のうちのいずれか一つに記載の装置。
【請求項３３】  患者による吸入のために、利用時に薬を含むエアロゾルを生成する噴霧器（１）と、
気体が吸入され得るインレット（１１ａ）を有するフェースマスク（１１）と、
患者の顔面へのフェースマスク（１１）の適合を確実なものにし患者に受け入れられる薬の量を計算する適合・計算手段とを
含む、患者に薬を分配して吸入させる装置において、
上記適合・計算手段は、
フェースマスク（１１）から引き出される気体の流量速度を測定するセンサ（１９）を備えており、
更に、
フェースマスク（１１）の適合が、フェースマスク（１１）から引き出される気体の流量速度をモニタすることにより、判断され、
患者に受け入れられる薬の総投与量が、個々の吸入呼吸にて受け入れられる薬の投与量を合計することで計算され、
個々の吸入呼吸にて受け入れられる薬の投与量は、噴霧器（１）の下流の装置デッドスペースの体積により補正されたその呼吸の体積の中の、吸入される薬の総量として計算される、
患者に薬を分配して吸入させる装置。
【請求項３４】  フェースマスク（１１）のインレット（１１ａ）が、吐出を防ぐ単方向バルブ（２６）を含む、請求項３３に記載の装置。
【請求項３５】  フェースマスク（１１）が、気体が吐出され得るアウトレット（１１ｂ）を包含する、請求項３３又は請求項３４のうちのいずれか一つに記載の装置。
【請求項３６】  フェースマスク（１１）のアウトレット（１１ｂ）が、吸入を防ぐ単方向バルブ（１７）を含む、請求項３５に記載の装置。
【請求項３７】  吸入波形、
吸入波形のピークの大きさ、
フェースマスク（１１）の患者の顔面への適合、及び、
患者に受け入れられる薬の投与量の
情報を表示する、ディスプレイ（２５）を更に含む、請求項３３乃至請求項３６のうちのいずれか一つに記載の装置。
【請求項３８】  ディスプレイ（２５）が、液晶デジタルディスプレイ又は発光ダイオードディスプレイを含む、請求項３７に記載の装置。
【請求項３９】  フェースマスク（１１）が患者の顔面に十分に適合し、及び／若しくは、
薬の所与の投与量が患者に受け入れられたら、音を生成する、
音生成部を更に含む、請求項３３乃至請求項３８のうちのいずれか一つに記載の装置。
【請求項４０】  患者の顔面へフェースマスク（１１）を充分に適合することが達成されると、
適合・計算手段が、噴霧器（１）を自動的に作動するように設定されている、請求項３３乃至請求項３９のうちのいずれか一つに記載の装置。
【請求項４１】  噴霧器（１）が、エアロゾルが生成される霧状化スペース（３）を含み、
該霧状化スペース（３）が、気体が吸入され得るインレット（５）と、フェースマスク（１１）と接続するアウトレット（９）とを包含する、
請求項３３乃至請求項４０のうちのいずれか一つに記載の装置。
【請求項４２】  センサ（１９）が、噴霧器（１）の上流に位置する、
請求項３３乃至請求項４１のうちのいずれか一つに記載の装置。
【請求項４３】  噴霧器（１）が、ジェット噴霧器である、請求項３３乃至請求項４２のうちのいずれか一つに記載の装置。
【請求項４４】  噴霧器（１）が、超音波噴霧器である、請求項３３乃至請求項４２のうちのいずれか一つに記載の装置。
【請求項４５】  噴霧器（１）が、圧力メッシュ噴霧器である、請求項３３乃至請求項４２のうちのいずれか一つに記載の装置。
【請求項４６】  気体が吸入され得るインレット（１１ａ；４９ａ；８９ａ）を包含するフェースマスク（１１；４９；８９）を患者の顔面に適合させるステップと、
患者が吸入するときに、フェースマスク（１１；４９；８９）のインレット（１１ａ；４９ａ；８９ａ）を介して引き入れられる気体の流量速度を測定するステップと、
実質上規則正しい吸入波形が得られるまで、フェースマスク（１１；４９；８９）の位置を調整するステップと
を含む、フェースマスクを患者の顔面に確実に適合させる方法。
【請求項４７】  吸入波形のピークの大きさが、実質上最大値になると、実質上規則正しい吸入波形が得られる、請求項４６に記載の方法。
【請求項４８】  吸入波形、及び吸入波形のピークの大きさの、フェースマスク（１１；４９；８９）の適合に係る情報を表示するステップを更に含む、請求項４６又は請求項４７のうちのいずれか一つに記載の方法。
【請求項４９】  フェースマスク（１１；４９；８９）が患者の顔面に充分に適合すると、徴候を示すステップを更に含む、請求項４６乃至請求項４８のうちのいずれか一つに記載の方法。
【請求項５０】  徴候が、表示される情報を含む、請求項４９に記載の方法。
【請求項５１】  徴候が、音を含む、請求項４９に記載の方法。
【請求項５２】  吸入の前に、一時的に薬を保持するチャンバ（２７；４１；８１）と、
チャンバ（２７；４１；８１）の中に薬を注入するデバイス（１；５７；８５）と、
気体が吸入され得るインレット（１１ａ；４９ａ；８９ａ）を包含するフェースマスク（１１；４９；８９）と、
患者の顔面へのフェースマスク（１１；４９；８９）の適合を確実なものにし患者に受け入れられる薬の総投与量を計算する適合・計算手段とを
含み、
上記適合・計算手段は、
チャンバ（２７；４１；８１）から引き出される気体の流量速度を測定するセンサ（１９；６７；９９）と、吸入の間のチャンバ（２７；４１；８１）内の薬の濃度を測定する濃度測定手段とを包含し、
その薬の濃度はチャンバ（２７；４１；８１）の内部面上にて薬が少なくとも一部分に沈下することにより時間を経るにつれ減少する、
装置を利用する、
患者に薬の投与量を分配し吸入させる方法であって、
デバイス（１；５７；８５）とフェースマスク（１１；４９；８９）との間を流体伝達しうる状態にするステップと、
フェースマスク（１１；４９；８９）を患者の顔面に適合させるステップと、
患者が吸入するときに、チャンバ（２７；４１；８１）から引き出される気体の流量速度をモニタし、実質上規則正しい吸入波形が得られるまで、必要に応じてフェースマスク（１１；４９；８９）の位置を調整するステップと、
デバイス（１；５７；８５）を作動してチャンバ（２７；４１；８１）の中へ薬を注入するステップと、
患者に受け入れられる薬の総投与量を、個々の吸入呼吸にて受け入れられる薬の投与量を合計することで計算するステップとを含み、
その個々の吸入呼吸にて受け入れられる薬の投与量は、チャンバ（２７；４１；８１）の下流の装置デッドスペースの体積により補正されたその呼吸の体積の中の、チャンバ（２７；４１；８１）から吸入される薬の総量として計算される、
患者に薬の投与量を分配し吸入させる方法。
【請求項５３】  デバイス（１；５７；８５）とフェースマスク（１１；４９；８９）との間を流体伝達しうる状態するステップと、
フェースマスク（１１；４９；８９）を患者の顔面に適合させるステップと、
デバイス（１；５７；８５）を作動するステップとが、
この指定された順序で構成される、
請求項５２に記載の方法。
【請求項５４】  デバイス（１；５７；８５）とフェースマスク（１１；４９；８９）との間を流体伝達しうる状態するステップと、
デバイス（１；５７；８５）を作動するステップと、
フェースマスク（１１；４９；８９）を患者の顔面に適合させるステップとが、
この指定された順序で構成される、
請求項５２に記載の方法。
【請求項５５】  フェースマスク（１１；４９；８９）を患者の顔面に適合させるステップと、
デバイス（１；５７；８５）とフェースマスク（１１；４９；８９）との間を流体伝達しうる状態するステップと、
デバイス（１；５７；８５）を作動するステップとが、
この指定された順序で構成される、
請求項５２に記載の方法。
【請求項５６】  フェースマスク（１１；４９；８９）を患者の顔面に適合させるステップと、
デバイス（１；５７；８５）を作動するステップと、
デバイス（１；５７；８５）とフェースマスク（１１；４９；８９）との間を流体伝達しうる状態するステップとが、
この指定された順序で構成される、
請求項５２に記載の方法。
【請求項５７】  デバイス（１；５７；８５）を作動するステップと、
デバイス（１；５７；８５）とフェースマスク（１１；４９；８９）との間を流体伝達しうる状態するステップと、
フェースマスク（１１；４９；８９）を患者の顔面に適合させるステップとが、
この指定された順序で構成される、
請求項５２に記載の方法。
【請求項５８】  デバイス（１；５７；８５）を作動するステップと、
フェースマスク（１１；４９；８９）を患者の顔面に適合させるステップと、
デバイス（１；５７；８５）とフェースマスク（１１；４９；８９）との間を流体伝達しうる状態するステップとが、
この指定された順序で構成される、
請求項５２に記載の方法。
【請求項５９】  吸入波形のピークの大きさが、実質上最大値になると、実質上規則正しい吸入波形が得られる、請求項５２乃至請求項５８のうちのいずれか一つに記載の方法。
【請求項６０】  吸入波形、及び吸入波形のピークの大きさの、フェースマスク（１１；４９；８９）の適合に係る情報を表示するステップを更に含む、請求項５２乃至請求項５９のうちのいずれか一つに記載の方法。
【請求項６１】  フェースマスク（１１；４９；８９）が患者の顔面に充分に適合すると、徴候を示すステップを更に含む、請求項５２乃至請求項６０のうちのいずれか一つに記載の方法。
【請求項６２】  徴候が、表示される情報を含む、請求項６１に記載の方法。
【請求項６３】  徴候が、音を含む、請求項６１に記載の方法。
【請求項６４】  患者に受け入れられる薬の投与量に係る情報を表示するステップを、更に含む、請求項５２乃至請求項６３のうちのいずれか一つに記載の方法。
【請求項６５】  薬の所与の投与量が患者に受け入れられたら、徴候を示すステップを、更に含む、請求項５２乃至請求項６４のうちのいずれか一つに記載の方法。
【請求項６６】  徴候が、表示される情報を含む、請求項６５に記載の方法。
【請求項６７】  徴候が、音を含む、請求項６５に記載の方法。
【請求項６８】  チャンバ（２７；４１；８１）内の薬の濃度が所定の閾値を下回れば、徴候を示すステップを、更に含む、請求項５２乃至請求項６７のうちのいずれか一つに記載の方法。
【請求項６９】  徴候が、表示される情報を含む、請求項６８に記載の方法。
【請求項７０】  徴候が、音を含む、請求項６８に記載の方法。
【請求項７１】  患者の顔面へのフェースマスク（１１；４９；８９）の充分な適合が達成されると、自動的にデバイス（１；５７；８５）を作動するように、適合・計算手段が設定されている、請求項５２乃至請求項７０のうちのいずれか一つに記載の方法。
【請求項７２】  チャンバ（２７；４１；８１）内の薬の濃度が所定の閾値を下回れば、自動的にデバイス（１；５７；８５）を作動するように、適合・計算手段が設定されている、請求項５２乃至請求項７１のうちのいずれか一つに記載の方法。
【請求項７３】  患者による吸入のために、利用時に薬を含むエアロゾルを生成する噴霧器（１）と、
気体が吸入され得るインレット（１１ａ）を有するフェースマスク（１１）と、
患者の顔面へのフェースマスク（１１）の適合を確実なものにし患者に受け入れられる薬の総投与量を計算する適合・計算手段とを
含み、
上記適合・計算手段は、
フェースマスク（１１）から引き出される気体の流量速度を測定するセンサ（１９）を備える、
装置を利用する、
患者に薬の投与量を分配し吸入させる方法であって、
フェースマスク（１１）と噴霧器（１）との間を流体伝達しうる状態にするステップと、
フェースマスク（１１）を患者の顔面に適合させるステップと、
患者が吸入するときに、フェースマスク（１１）から引き出される気体の流量速度をモニタし、実質上規則正しい吸入波形が得られるまで、必要に応じてフェースマスク（１１）の位置を調整するステップと、
噴霧器（１）を作動して薬を含むエアロゾルを生成するステップと、
患者に受け入れられる薬の総投与量を、個々の吸入呼吸にて受け入れられる薬の投与量を合計することで計算するステップとを含み、
その個々の吸入呼吸にて受け入れられる薬の投与量は、噴霧器（１）の下流の装置デッドスペースの体積により補正されたその呼吸の体積の中の、吸入される薬の量として計算される、
患者に薬の投与量を分配し吸入させる方法。
【請求項７４】  噴霧器（１）とフェースマスク（１１）との間を流体伝達しうる状態にするステップと、
フェースマスク（１１）を患者の顔面に適合させるステップと、
噴霧器（１）を作動するステップとが、
この指定された順序で構成される、
請求項７３に記載の方法。
【請求項７５】  噴霧器（１）とフェースマスク（１１）との間を流体伝達しうる状態にするステップと、
噴霧器（１）を作動するステップと
フェースマスク（１１）を患者の顔面に適合させるステップとが、
この指定された順序で構成される、
請求項７３に記載の方法。
【請求項７６】  フェースマスク（１１）を患者の顔面に適合させるステップと、
噴霧器（１）とフェースマスク（１１）との間を流体伝達しうる状態にするステップと、
噴霧器（１）を作動するステップとが、
この指定された順序で構成される、
請求項７３に記載の方法。
【請求項７７】  フェースマスク（１１）を患者の顔面に適合させるステップと、
噴霧器（１）を作動するステップと、
噴霧器（１）とフェースマスク（１１）との間を流体伝達しうる状態にするステップとが、
この指定された順序で構成される、
請求項７３に記載の方法。
【請求項７８】  噴霧器（１）を作動するステップと、
噴霧器（１）とフェースマスク（１１）との間を流体伝達しうる状態にするステップと、
フェースマスク（１１）を患者の顔面に適合させるステップとが、
この指定された順序で構成される、
請求項７３に記載の方法。
【請求項７９】  噴霧器（１）を作動するステップと、
フェースマスク（１１）を患者の顔面に適合させるステップと、
噴霧器（１）とフェースマスク（１１）との間を流体伝達しうる状態にするステップとが、
この指定された順序で構成される、
請求項７３に記載の方法。
【請求項８０】  吸入波形のピークの大きさが、実質上最大値になると、実質上規則正しい吸入波形が得られる、請求項７３乃至請求項７９のうちのいずれか一つに記載の方法。
【請求項８１】  吸入波形、及び吸入波形のピークの大きさの、フェースマスク（１１）の適合に係る情報を表示するステップを更に含む、請求項７３乃至請求項８０のうちのいずれか一つに記載の方法。
【請求項８２】  フェースマスク（１１）が患者の顔面に充分に適合すると、徴候を示すステップを更に含む、請求項７３乃至請求項８１のうちのいずれか一つに記載の方法。
【請求項８３】  徴候が、表示される情報を含む、請求項８２に記載の方法。
【請求項８４】  徴候が、音を含む、請求項８２に記載の方法。
【請求項８５】  患者に受け入れられる薬の投与量に係る情報を表示するステップを、更に含む、請求項７３乃至請求項８４のうちのいずれか一つに記載の方法。
【請求項８６】  薬の所与の投与量が患者に受け入れられたら、徴候を示すステップを、更に含む、請求項７３乃至請求項８５のうちのいずれか一つに記載の方法。
【請求項８７】  徴候が、表示される情報を含む、請求項８６に記載の方法。
【請求項８８】  徴候が、音を含む、請求項８６に記載の方法。
【請求項８９】  フェースマスク（１１）の充分な適合が達成されると、自動的に噴霧器（１）を作動するように、適合・計算手段が設定されている、請求項７３乃至請求項８８のうちのいずれか一つに記載の方法。
【請求項９０】
実質上規則正しい吸入波形が、１）吸入波形のピークの大きさが実質的に最大値レベルで維持されることと、２）吸入波形が実質的に周期的であることとのうちの、少なくとも一つによって達成されることを特徴とする請求項１、１０、若しくは３３のうちのいずれか一つに記載の装置。
【請求項９１】
吸入波形のピークの大きさが実質的に最大値レベルで維持されるときに、実質上規則正しい吸入波形が達成されることを特徴とする請求項１、１０、若しくは３３のうちのいずれか一つに記載の装置。
【請求項９２】
実質上規則正しい吸入波形が、１）吸入波形のピークの大きさが実質的に最大値レベルで維持されることと、２）吸入波形が実質的に周期的であることとのうちの、少なくとも一つによって達成されることを特徴とする請求項４６、５２、若しくは７３のうちのいずれか一つに記載の方法。
【請求項９３】
吸入波形のピークの大きさが実質的に最大値レベルで維持されることによって、実質上規則正しい吸入波形が達成されることを特徴とする請求項４６、５２、若しくは７３のうちのいずれか一つに記載の方法。